(57)【特許請求の範囲】
【請求項１】
口頸部（２）の外面にねじ部（３）及びねじ部（３）より下方に形成した係止突部（４）を有する容器（１）と、容器(１)の口頸部(２)外面へ螺合させた合成樹脂製キャップとからなる、合成樹脂製キャップを備えた容器において、
合成樹脂製キャップを形成するキャップ本体(１０)のねじ部(１３)より下方の側壁(１２)部分に横辺(１５ａ)と一対の縦辺(１５ｃ、１５ｄ)から構成される下面開口の窓部(１５)を形成し、
該窓部の一方の縦辺の下端部から破断用横辺(１５ｂ)を突設して、該破断用横辺より係止片(１７)を立設し、該破断用横辺の先端部又は係止片を前記窓部の他方の縦辺に弱化部(２０)を介して連結し、
前記破断用横辺(１５ｂ)上方のキャップ本体側壁(１２)部分より薄肉の薄肉板(１６)を突設して、該薄肉板を前記係止片へ一体に連結させ、
前記キャップ本体(１０)の装着時に、前記係止片(１７)内面が前記係止突部(４)に係合して当該係止片(１７)が外方へ弾性変形することが可能であるようにキャップ本体を設け、
かつ係止片（１７）が係止突部(４)を通過した後、前記係止片(１７)が弾性復元してその係止片（１７）の上端が前記係止突部(４)の下方に位置することが可能にキャップ本体を設け、
開蓋時における前記キャップ本体(１０)の上昇で前記弱化部(２０)が破断することが可能にキャップ本体(１０)を設け、
かつ前記窓部の一方の縦辺(１５ｄ)と前記係止片(１７)との間の前記薄肉板(１６)部分が斜め下方に伸びる方向へ塑性変形して前記係止片(１７)が下方へ変位可能に設けた、ことを特徴とする合成樹脂製キャップを備えた容器。
【請求項２】
前記係止片(１７)上面と前記容器口頸部の係止突部(４)下面とのそれぞれを内縁が外縁より高いテーパ面に形成したことを特徴とする請求項１記載の合成樹脂製キャップを備えた容器。
【発明の詳細な説明】
【技術分野】
【０００１】
本発明は容器の口部へ螺合させる合成樹脂製キャップを備えた容器に関する。
【背景技術】
【０００２】
流通時における不正開封を防止すべく、瓶口に装着されるキャップのピルファープルーフ裾部の下端部に折返し部を設けて瓶口のあご部へ係止させると共に、ピルファープルーフ裾部とキャップ上部との境界部に破断線等を設けておき、開蓋すると破断線が破断してキャップ上部のみが抜けて開蓋され、ピルファープルーフ裾部は瓶口のあご部下に定着するため、開蓋後、再度キャップ上部を装着してもキャップ上部とピルファープルーフ裾部とが一体にならないことから不正開封の事実を認識可能にすると共に、装着時、ピルファープルーフ裾部の折返し部をあご部に通過可能に接触させ、ピルファープルーフ裾部内面はあご部に接触させないようにして装着時における破断線部分でのピルファープルーフ裾部の破壊を防止するようにした合成樹脂製キャップが従来技術として知られている。
【先行技術文献】
【特許文献】
【０００３】
【特許文献１】特開昭５９−１０３８５２号公報
【発明の概要】
【発明が解決しようとする課題】
【０００４】
しかしながら従来技術では、開蓋後、再度キャップ上部を装着した場合に、キャップ上部とピルファープルーフ裾部とが一体にならないにしても不正開封の痕跡としては明瞭でないことからその事実を見逃すおそれがあった。また、キャップの装着時に、ピルファープルーフ裾部内面をあご部に接触させないようにして破断線部分での破壊を防止可能にしているが、ピルファープルーフ裾部の折返し部があご部を通過する際に、破断線部分に拡径方向への力がかかることは避けられず、このため破断線部分で破壊が生じるおそれがあった。
【０００５】
本発明は、前記課題を解決するためになされたもので、不正開封の事実を容易に認識できると共に、装着時における弱化部の破断を防止可能な合成樹脂製キャップを備えた容器を提供することを目的とする。
【課題を解決するための手段】
【０００６】
前記課題を解決するために、本発明は、  口頸部２の外面にねじ部３及びねじ部３より下方に形成した係止突部４を有する容器１と、容器１の口頸部２外面へ螺合させた合成樹脂製キャップとからなる、合成樹脂製キャップを備えた容器において、
合成樹脂製キャップを形成するキャップ本体１０のねじ部１３より下方の側壁１２部分に横辺１５ａと一対の縦辺１５ｃ、１５ｄから構成される下面開口の窓部１５を形成し、
該窓部の一方の縦辺の下端部から破断用横辺１５ｂを突設して、該破断用横辺より係止片１７を立設し、該破断用横辺の先端部又は係止片を前記窓部の他方の縦辺に弱化部２０を介して連結し、
前記破断用横辺１５ｂ上方のキャップ本体側壁１２部分より薄肉の薄肉板１６を突設して、該薄肉板を前記係止片へ一体に連結させ、
前記キャップ本体１０の装着時に、前記係止片１７内面が前記係止突部４に係合して当該係止片１７が外方へ弾性変形することが可能であるようにキャップ本体を設け、
かつ係止片１７が係止突部４を通過した後、前記係止片１７が弾性復元してその係止片１７の上端が前記係止突部４の下方に位置することが可能にキャップ本体を設け、
開蓋時における前記キャップ本体１０の上昇で前記弱化部２０が破断することが可能にキャップ本体１０を設け、
かつ前記窓部の一方の縦辺１５ｄと前記係止片１７との間の前記薄肉板１６部分が斜め下方に伸びる方向へ塑性変形して前記係止片１７が下方へ変位可能に設けている。
【０００７】
また、本発明は、前記係止片１７上面と前記容器口頸部の係止突部４下面とのそれぞれを内縁が外縁より高いテーパ面に形成したことを特徴とする。
【発明の効果】
【０００９】
本発明は、開蓋時におけるキャップ本体の上昇で弱化部が破断可能に、かつ窓部の一方の縦辺と係止片との間の薄肉板部分が斜め下方に伸びる方向へ塑性変形可能に設けたので、不正開封後、薄肉板を原形に復させることができず、また、薄肉板部分が下方に伸びる方向へ塑性変形することで係止片が下方へ変位可能に設けたので、不正開封の痕跡が明瞭であり、したがって、不正開封の事実を看過するおそれがない。
【００１０】
また、本発明は、キャップ本体の装着時に、係止片内面が係止突部に係合して外方へ弾性変形可能に設けたので、装着時に、弱化部と薄肉板とに装着時の力がかかることがなく、したがって、弱化部と薄肉部が装着時に破壊するおそれがない。
【００１１】
さらに、本発明は、係止片上面と容器口部の係止突部下面とのそれぞれを内側が外側より高いテーパ面に形成したので、開蓋時、キャップ本体が上昇しても係止片が係止突部から容易に離脱することがないため、弱化部が確実に破断すると共に、薄肉板の伸び変形が確実に確保され、また、キャップ本体が回動しても係止片はほぼ静止状態を保持するため、キャップ本体の回動力が効率良く薄肉板に作用することになり、したがって、薄肉板の伸び変形をより大きくすることができる。
【図面の簡単な説明】
【００１３】
【図１】(ａ) 本発明に係る合成樹脂製キャップの図２(ｂ)のＡ−Ａ線に沿う断面図である。 (ｂ) 同キャップを備えた容器の正面図である。
【図２】(ａ)同キャップの平面図である。 (ｂ)同キャップの左側半断面図である。
【図３】要部を示す拡大断面図である。
【図４】合成樹脂製キャップを備えた容器の作用説明図である。
【図５】合成樹脂製キャップを備えた容器の作用説明図である。
【発明を実施するための形態】
【００１４】
以下、本発明の実施の形態について、図面を参照しながら詳細に説明する。
【００１５】
本発明に係る合成樹脂製キャップが装着される容器１は、図１および図２に示すように胴部の上端から肩部を介して口頸部２を起立している。口頸部２の外面にはねじ部を構成する雄ねじ３が形成されており、雄ねじ３より下方の口頸部２部分の外面には係止突部を構成する環状突条４が周設されている。
【００１６】
容器１の口頸部２に装着される合成樹脂製キャップのキャップ本体１０は天壁１１から側壁１２を垂下しており、側壁１２の内面にはねじ部を構成する雌ねじ１３が形成されている。雌ねじ１３より下方の側壁１２部分は拡径されて大内径部１４に形成されており、大内径部１４には下面開口の窓部１５が開口されている。窓部１５は横辺１５ａと、左右一対の縦辺１５ｃ、１５ｄとで囲まれている。
【００１７】
該窓部の一方の縦辺１５ｄの下端部からキャップ本体側壁１２と同一肉厚の破断用横辺１５ｂを突設して、該破断用横辺より係止片１７を立設し、破断用横辺の先端部又は係止片１７を窓部の他方の縦辺１５ｃに弱化部２０を介して連結すると共に、縦辺１５ｃと反対側（縦辺１５ｄ側）の破断用横辺１５ｂ上方のキャップ本体側壁１２部分より薄肉の薄肉板１６を突設して係止片１７へ一体に連結させる。
【００１８】
本実施形態では、係止片１７はその下部が内方へ傾斜する傾斜部１７ａに形成され、傾斜部１７ａから起立部１７ｂが起立していて、起立部１７ｂの上端が係止突部(環状突条４)下方に配設される。なお、起立部１７ｂ上面と容器口部の係止突部(環状突部４)下面とのそれぞれは内縁が外縁より高いテーパ面であるのが好ましい。こうすることにより開蓋時、キャップ本体が上昇しても係止片が係止突部から容易に離脱することがない。
【００１９】
次に作用について説明する。
容器の口頸部２にキャップ本体１０を装着すると、係止片１７の傾斜部１７ａ内面が係止突部(環状突条４)に係合して係止片１７が外方へ弾性変形する。さらなるキャップ本体１０の下降で傾斜部１７ａと起立部１７ｂが係止突部４を通過すると、係止片１７が内方へ弾性復元して起立部１７ｂの上端が係止突部４下面に係止する。その間、係止片１７と窓部の一方の縦辺１５ｄとの間の薄肉板１６部分および弱化部２０には下方への力が殆どかからないため、これらの部分が装着時に破断するおそれがない。
【００２０】
開蓋に際して、キャップ本体１０を反時計方向へ螺動させると、キャップ本体１０は回動しつつ上昇するが、係止片１７はその上端が係止突部４下面に係止するため、ほぼ静止状態を保持する。このため弱化部２０が破断すると共に、窓部１５の一方の縦辺１５ｄと係止片１７との間の薄肉板１６部分が斜め下方に伸びる方向へ塑性変形して係止片１７が下方へ変位する(図４および図５)。開蓋後、リキャップしても係止片１７は元の形状に復元することはできず、したがって、外部から容易に不正開封の事実を認識できる。
【００２１】
なお、上記では、容器と一体成形の口頸部２に本発明に係る合成樹脂製キャップを適用する例について説明したが、これに限定されることなく、例えば、容器の開口(注出口)に装着した別体のスパウト(注出部材)に本発明に係る合成樹脂製キャップを螺合させることも可能である。
【産業上の利用可能性】
【００２２】
本発明は容器の口部へ螺合させる合成樹脂製キャップを備えた容器の分野に利用することができる。
【符号の説明】
【００２３】
１  容器
２  口頸部
３  ねじ部(雄ねじ)
４  係止突部(環状突条)
１０  キャップ本体
１２  側壁
１３  ねじ部(雌ねじ)
１５  窓部
１５ａ  横辺
１５ｃ、１５ｄ  縦辺
１５ｂ  破断用横辺
１６  薄肉板
１７  係止片
２０  弱化部
【図１】
0005773417.tif 000002
【図２】
0005773417.tif 000003
【図３】
0005773417.tif 000004
【図４】
0005773417.tif 000005
【図５】
0005773417.tif 000006